(57)【要約】【課題】部品点数を削減してコストダウンを図り、入れ替えて現行の通信装置も計量装置に取り付けできる電力量計。【解決手段】ベース６Ａは、既存の通信装置に形成された第１の計量装置取付部を取り付けるための通信装置取付部６ｂを有するとともに、既存の通信装置取り付けに支障がない位置に通信装置取付部６ｄ１，６ｄ２，６ｅ１，６ｅ２が形成される。通信装置１２Ａは、第１の計量装置取付部を有せず、通信装置取付部６ｄ１，６ｄ２，６ｅ１，６ｅ２に取り付けられる計量装置取付部１２１ａ，１２１ｂ，１２２ａ，１２２ｂを有するとともに、通信装置の回路部を取り付けるための回路部取付部１２３が形成された一つの筐体を有する。【選択図】図１
2019015624.tif 000002
【特許請求の範囲】
【請求項１】
電力量を計量する計量装置と、
計量装置に取り付けられ且つ計量装置で計量された電力量を外部に送信する通信装置とを備えた電力量計において、
前記計量装置は、既存の通信装置に形成された第１の計量装置取付部を取り付けるための第１の通信装置取付部を有するとともに、既存の通信装置取り付けに支障がない位置に第２の通信装置取付部が形成され、
前記通信装置は、第１の計量装置取付部を有せず、その第２の通信装置取付部に取り付けられる第２の計量装置取付部を有するとともに、通信装置の回路部を取り付けるための回路部取付部が形成された一つの筐体を有することを特徴とする電力量計。
【請求項２】
前記第２の計量装置取付部が筐体側面部から延伸して形成され、前記第２の計量装置取付部を計量装置のベース内部に収納するような凹部として第２の通信装置取付部が形成されていることを特徴とする請求項１記載の電力量計。
【請求項３】
前記第２の通信装置取付部の一部にベース表面から第２の計量装置取付部嵌合部に向けてスリットが形成され、第２の計量装置取付部に前記スリット内を通るテーパ状のリブが形成されていることを特徴とする。ことを特徴とする請求項２記載の電力量計。
【請求項４】
前記通信装置の回路部に、前記計量装置に接続するための計量装置接続用コネクタを有し、
前記計量装置に設けられた回路部に、前記計量装置接続用コネクタに接続するための通信装置接続用コネクタを有し、
前記計量装置のベースに両方のコネクタを通す穴部が形成されていることを特徴とする請求項１乃至請求項３のいずれか１項記載の電力量計。
【請求項５】
前記通信装置の回路部と前記計量装置に設けられた回路部とを接続する金属部材からなる接続端子を有し、前記計量装置のベースに前記接続端子を通す穴部が形成されていることを特徴とする請求項１乃至請求項３のいずれか１項記載の電力量計。
【発明の詳細な説明】
【技術分野】
【０００１】
本発明は、計量装置と通信装置とを備えた電力量計に関する。
【背景技術】
【０００２】
電力量計は、計量装置と、計量装置に取り付けられ且つ計量装置で計量された電力量を外部に送信する通信装置とを備えている。
【０００３】
図１５は、従来の電力量計の斜視図である。図１５（ａ）、図１５（ｂ）は電力量計の外観を示し、図１５（ｃ）はカバー７を取り外して、通信装置をベース６に取り付けた状態を示し、図１５（ｄ）は通信装置を外した状態を示す。
【０００４】
計量装置は、図１６に示すように、電力量を表示する表示部１ａ及び通信装置接続用コネクタ１ｂを有する基板１（回路部）と、電流線取付ねじ２を有する導体部３と、導体部３に流れる電流を検出するセンサ部４と、これらを収納するケース５と、ベース６と、カバー７とを備えている。カバー７にはカバー取付ねじ８が設けられ、ベース６には、コネクタ通し穴６ａと通信装置取付部６ｂと電流線通し穴６ｃとが形成されている。
【０００５】
通信装置は、図１７に示すように、基板９のケーブル接続用コネクタ９ｂにケーブル１０の基板接続用コネクタ１０ｂを接続し、基板９のＬＥＤ９ａの光を導光するＬＥＤ導光部１１を上ケース１２のＬＥＤ導光用穴１２ａに取付け、基板９を上ケース１２と下ケース１３内に収納して形成される。
【０００６】
通信装置の計量装置接続用コネクタ１０ａを計量装置のベース６のコネクタ通し穴６ａを通して、基板１の通信装置接続用コネクタ１ｂに接続し、通信装置の下ケース１３の計量装置取付部１３ａを、計量装置のベース６の通信装置取付部６ｂに嵌合させ、カバー７をカバー取付ねじ８によりベース６に取り付けることで電力量計が作製される。
【０００７】
なお、従来技術として、狭く限られたスペースに設置可能であるとともに、既存の電力量計の構造を変えることなく且つ様々な大きさの電力量計に対して適用可能な電力量計が知られている。（特許文献１）
【先行技術文献】
【特許文献】
【０００８】
【特許文献１】特許第５３６６６５４号公報
【発明の概要】
【発明が解決しようとする課題】
【０００９】
このように計量装置と通信装置とは分離されているが、一体化することで、コストダウンを図ることができる。
【００１０】
しかしながら、通信種別の異なる現行品、即ち現行の通信装置及び計量装置（既存の通信装置及び計量装置に対応）も今後、運用されていくため、一体化したコストダウン品と現行品とが混在する可能性が高い。
【００１１】
本発明の課題は、部品点数を削減してコストダウンを図るとともに、入れ替えて現行の通信装置も計量装置に取り付けることができる電力量計を提供する。
【課題を解決するための手段】
【００１２】
上記課題を解決するために、本発明に係る請求項１の発明は、電力量を計量する計量装置と、計量装置に取り付けられ且つ計量装置で計量された電力量を外部に送信する通信装置とを備えた電力量計において、計量装置は、既存の通信装置に形成された第１の計量装置取付部を取り付けるための第１の通信装置取付部を有するとともに、既存の通信装置取り付けに支障がない位置に第２の通信装置取付部が形成され、通信装置は、第１の計量装置取付部を有せず、その第２の通信装置取付部に取り付けられる第２の計量装置取付部を有するとともに、通信装置の回路部を取り付けるための回路部取付部が形成された一つの筐体を有する。
【００１３】
請求項２の発明は、第２の計量装置取付部が筐体側面部から延伸して形成され、その第２の計量装置取付部を計量装置のベース内部に収納するような凹部として第２の通信装置取付部が形成されていることを特徴とする。
【００１４】
請求項３の発明は、第２の通信装置取付部の一部にベース表面から第２の計量装置取付部嵌合部に向けてスリットが形成され、第２の計量装置取付部にそのスリット内を通るテーパ状のリブが形成されていることを特徴とする。
【００１５】
請求項４の発明は、通信装置の回路部に、計量装置に接続するための計量装置接続用コネクタを有し、計量装置に設けられた回路部に、計量装置接続用コネクタに接続するための通信装置接続用コネクタを有し、計量装置のベースに両方のコネクタを通す穴部が形成されていることを特徴とする。
【００１６】
請求項５の発明は、通信装置の回路部と計量装置に設けられた回路部とを接続する金属部材からなる接続端子を有し、計量装置のベースに接続端子を通す穴部が形成されていることを特徴とする。
【発明の効果】
【００１７】
本発明によれば、通信装置の下ケースを削除できるので、コストダウンを図ることができる。また、既存の通信装置取り付けに支障がない位置に第２の通信装置取付部が形成され、第２の通信装置取付部に第２の計量装置取付部が取り付けられるので、通信装置を計量装置に取り付けることができる。
【００１８】
また、第１の通信装置取付部に第１の計量装置取付部が取り付けられるので、既存の通信装置を計量装置に取り付けることができる。即ち、入れ替えて現行の通信装置も計量装置に取り付けることができる。
【図面の簡単な説明】
【００１９】
【図１】本発明の実施例１に係る電力量計の計量装置の斜視図及び通信装置を計量装置に取り付けた斜視図である。
【図２】本発明の実施例１に係る通信装置の斜視図及び分解斜視図である。
【図３】本発明の実施例１に係る電力量計の変形例の計量装置の斜視図と通信装置を計量装置に取り付けた斜視図と通信装置の斜視図である。
【図４】本発明の実施例２の電力量計の計量装置の斜視図と通信装置を計量装置に取り付けた斜視図と通信装置の斜視図である。
【図５】本発明の実施例２に係る電力量計の変形例の計量装置の斜視図と通信装置を計量装置に取り付けた斜視図と通信装置の斜視図である。
【図６】本発明の実施例３の電力量計の計量装置の斜視図と通信装置を計量装置に取り付けた斜視図と通信装置の斜視図である。
【図７】本発明の実施例３に係る電力量計の動作を説明するための図である。
【図８】本発明の実施例３に係る電力量計の変形例の計量装置の斜視図と通信装置を計量装置に取り付けた斜視図と通信装置の斜視図である。
【図９】本発明の実施例３に係る電力量計の変形例の動作を説明するための図である。
【図１０】本発明の実施例４の電力量計の計量装置の斜視図と通信装置を計量装置に取り付けた斜視図と通信装置の斜視図と計量装置の基板の斜視図である。
【図１１】本発明の実施例４に係る電力量計の第１変形例の計量装置の斜視図と通信装置の斜視図である。
【図１２】本発明の実施例４に係る電力量計の第２変形例の計量装置の斜視図と通信装置の斜視図である。
【図１３】本発明の実施例５の電力量計の計量装置の斜視図と通信装置を計量装置に取り付けた斜視図と基板の斜視図と通信装置の斜視図である。
【図１４】本発明の実施例５の電力量計の通信装置の基板と計量装置の基板とを接続端子で接続した斜視図と接続端子の斜視図である。
【図１５】従来の電力量計の斜視図である。
【図１６】従来の計量装置の分解斜視図である。
【図１７】従来の通信装置の分解斜視図である。
【発明を実施するための形態】
【００２０】
以下、本発明の実施の形態に係る電力量計について、図面を参照しながら詳細に説明する。
【実施例１】
【００２１】
図１（ａ）は実施例１に係る電力量計の通信装置を取り外した計量装置を示す図である。図１（ｂ）は通信装置を計量装置に取り付けた電力量計を示す図である。図２（ａ）〜図２（ｃ）は、通信装置の斜視図である。図２（ｄ）〜図２（ｅ）は、通信装置の分解斜視図である。図２（ｆ）は、通信装置筐体の斜視図である。
【００２２】
電力量計は、電流線を電流線取付ねじ２で固定するベース６Ａとベース６Ａを収納するケース５とを有し電力量を計量する計量装置と、計量装置に取り付けられ計量装置で計量された電力量を外部に送信する通信装置とを備える。
【００２３】
ベース６Ａは、図１（ａ）に示すように、図１５に示す従来の通信装置筐体１３に形成された図１７に示す計量装置取付部１３ａ（本発明の第１の計量装置取付部に対応）を取り付けるための通信装置取付部６ｂ（本発明の第１の通信装置取付部に対応）を有する。また、ベース６Ａは、従来の通信装置筐体１２、１３の取り付けに支障がない位置に通信装置取付部６ｄ１，６ｄ２，６ｅ１，６ｅ２（本発明の第２の通信装置取付部に対応）が形成されている。
【００２４】
通信装置筐体１２Ａは、一つの筐体からなり、図２（ａ）〜図２（ｃ）に示すように、計量装置取付部１３ａを有せず、通信装置取付部６ｄ１，６ｄ２，６ｅ１，６ｅ２に取り付けられる計量装置取付部１２１ａ，１２１ｂ，１２２ａ，１２２ｂ（本発明の第２の計量装置取付部に対応）を有する。また、通信装置１２Ａは、図２（ｂ），（ｃ）に示すように、通信装置筐体１２Ａの基板（回路部）９を取り付けるための回路部取付部１２３が形成されている。
【００２５】
計量装置取付部１２１ａ，１２１ｂは、通信装置筐体１２Ａの上面部１２Ａ１の端部に突起して形成されている。計量装置取付部１２２ａ，１２２ｂは、通信装置筐体１２Ａの筐体側面部１２Ａ２，１２Ａ３に突起して形成された爪部からなる。
【００２６】
通信装置取付部６ｄ１，６ｄ２には、凹部が形成され、この凹部が通信装置筐体１２Ａの計量装置取付部１２１ａ，１２１ｂの突起と嵌合する。通信装置取付部６ｅ１，６ｅ２は、溝が形成された突起からなり、この溝に計量装置取付部１２２ａ，１２２ｂの爪部が嵌合する。通信装置の計量装置取付部１２１ａ，１２１ｂ，１２２ａ，１２２ｂは、通信装置取付部６ｄ１，６ｄ２，６ｅ１，６ｅ２に取り付けられる。
【００２７】
通信装置筐体１２Ａは、図２（ｄ），（ｅ）に示すように、基板９とケーブル１０とコネクタ１０ａ，１０ｂを備える。通信装置筐体１２Ａには、ＬＥＤ導光部１１を取り付けるためのＬＥＤ導光用穴１２ａが形成されている。基板９は、ＬＥＤ９ａとケーブル接続用コネクタ９ｂを有する。ＬＥＤ９ａの光がＬＥＤ導光部１１を介して通信装置筐体１２Ａに照射される。
【００２８】
ケーブル１０の一端には計量装置接続用コネクタ１０ａが取り付けられ、ケーブル１０の他端には基板接続用コネクタ１０ｂが取り付けられている。基板接続用コネクタ１０ｂは、ケーブル接続用コネクタ９ｂに接続される。
【００２９】
このように構成された実施例１に係る電力量計によれば、通信装置筐体１２Ａのみとしたので、従来の通信装置筐体１３を削除できるので、コストダウンを図ることができる。また、従来の通信装置の取り付けに支障がない位置に通信装置取付部６ｄ１，６ｄ２，６ｅ１，６ｅ２が形成され、通信装置取付部６ｄ１，６ｄ２，６ｅ１，６ｅ２に計量装置取付部１２１ａ，１２１ｂ，１２２ａ，１２２ｂが取り付けられるので、通信装置筐体１２Ａをベース６Ａに取り付けることができる。
【００３０】
また、通信装置取付部６ｂに計量装置取付部１３ａが取り付けられるので、従来の通信装置筐体１３を計量装置に取り付けることができる。即ち、入れ替えて現行の通信装置も計量装置に取り付けることができる。
【００３１】
図３（ａ）は、本発明の実施例１の電力量計の変形例の計量装置、図３（ｂ）は、通信装置を計量装置に取り付けた斜視図である。図３（ｃ），（ｄ）は、通信装置の斜視図である。実施例１では、ベース６Ａの水平部（電流線取付ねじ２がある側）に沿って通信装置取付部６ｅ１，６ｅ２を設けたが、変形例では、図３（ａ）に示すように、ベース６Ｂの垂直部（水平部に直交する側）に沿って通信装置取付部６ｅ３，６ｅ４を設けている。
【００３２】
また、計量装置取付部１２２ｃ，１２２ｄは、通信装置筐体１２Ｂの筐体側面部１２Ａ２，１２Ａ３に突起して形成された爪部からなる。通信装置取付部６ｅ３，６ｅ４は、溝が形成された突起からなり、この溝に計量装置取付部１２２ｃ，１２２ｄの爪部が嵌合する。
【００３３】
従って、実施例１の変形例においても、実施例１の効果と同様な効果が得られる。
【実施例２】
【００３４】
図４（ａ）は、本発明の実施例２の電力量計の計量装置、図４（ｂ）は、通信装置を計量装置に取り付けた斜視図である。図４（ｃ），（ｄ）は、通信装置の斜視図である。実施例２の電力量計では、図４（ｄ），（ｅ）に示すように、通信装置筐体１２Ｃに形成された計量装置取付部１２２ｅ，１２２ｆは、筐体側面部１２Ａ２，１２Ａ３の長手方向に延伸した爪部１２２ｆ１が形成された突起からなる。計量装置に形成された通信装置取付部６ｅ５，６ｅ６は、図４（ａ）に示すように、計量装置取付部１２２ｅ，１２２ｆがベース内部に収納するように凹部が形成されている。
【００３５】
このように構成された実施例２に係る電力量計によれば、通信装置筐体１２Ｃに形成された計量装置取付部１２２ｅ，１２２ｆを通信装置取付部６ｅ５，６ｅ６の凹部に挿入して、爪部１２２ｆ１をベース６Ｃに形成された引掛部６Ｃ１に引っ掛ける。このため、計量装置を分解しない限り、通信装置筐体１２Ｃを取り外すことができないように封印することができる。
【００３６】
図５（ａ）は、実施例２の電力量計の変形例の計量装置の斜視図である。図５（ｂ）は、実施例２の電力量計の変形例の通信装置を計量装置に取り付けた斜視図である。図５（ｃ），（ｄ）は、通信装置の斜視図である。実施例２では、ベース６Ｃの水平部（電流線取付ねじ２がある側）に沿って通信装置取付部６ｅ５，６ｅ６を設けたが、変形例では、図５（ａ）に示すように、ベース６Ｄの垂直部（水平部に直交する側）に沿って通信装置取付部６ｅ７，６ｅ８を設けている。
【００３７】
また、計量装置取付部１２２ｇ，１２２ｈは、図５（ｄ）に示すように、通信装置筐体１２Ｄの筐体側面部１２Ａ２，１２Ａ３の短手方向に延伸して突起して形成された爪部からなる。通信装置取付部６ｅ７，６ｅ８は、図５（ａ）に示すように、引掛部（図示せず）を有する凹部からなり、この凹部に有する引掛部に計量装置取付部１２２ｇ，１２２ｈの爪部が引っ掛かる。
【００３８】
従って、実施例２の変形例においても、実施例２の効果と同様な効果が得られる。
【実施例３】
【００３９】
図６（ａ）は、本発明の実施例３の電力量計の計量装置、図６（ｂ）は、通信装置を計量装置に取り付けた斜視図である。図６（ｃ），（ｄ）は、通信装置の斜視図である。図６（ａ）に示すように、凹部として形成された通信装置取付部６ｅ９，６ｅ１０の一部にベース表面から計量装置取付部嵌合部に向けてスリット６ｆ１，６ｆ２が形成されている。計量装置取付部１２２ｉ，１２２ｊには、そのスリット６ｆ１，６ｆ２内を通るテーパ状のリブ１２６ａ，１２６ｂが形成されている。
【００４０】
このように構成された実施例３に係る電力量計の動作を図７を参照しながら説明する。図７（ａ）は、通信装置筐体１２Ｅが計量装置に取り付けられた状態において、上部から治具２１を挿入することを示したもので、図７（ｂ）は、治具２１の先端をスリット６ｆ１，６ｆ２に挿入した状態を示している。図７（ｃ）、（ｄ）、（ｅ）は、図７（ａ）、図７（ｂ）の作業における爪部の動作の詳細を示したものである。
【００４１】
図７（ｃ）は、通信装置筐体が計量装置に取り付けられた状態で、計量装置取付部１２２ｉ，１２２ｊが、凹部を有する通信装置取付部６ｅ９，６ｅ１０に挿入され、爪部１２２ｉ１，１２２ｊ１が係合部６Ｅ１に係合していることを示している。図７（ｄ）は、治具２１をスリット６ｆ１，６ｆ２に挿入し始めた状態を示す。図７（ｅ）は、治具２１をさらに挿入し続けて、治具２１の先端のテーパ部２１ａが、テーパ状のリブ１２６ａ，１２６ｂのテーパ部１２６ａ１，１２６ｂ１を摺動して、計量装置取付部１２２ｉ，１２２ｊが内側（左方向）に押され、爪部１２２ｉ１，１２２ｊ１が係合部６Ｅ１から外れた状態を示す。このため、計量装置を分解せずに計量装置から通信装置１２Ｅを取り外すことができる。
【００４２】
図８（ａ）は、本発明の実施例３の電力量計の変形例の計量装置である。図８（ｂ）は、通信装置を計量装置に取り付けた斜視図である。図８（ｃ），（ｄ）は、通信装置の斜視図である。実施例３では、ベース６Ｅの水平部（電流線取付ねじ２がある側）に沿って通信装置取付部６ｅ９，６ｅ１０を設けたが、変形例では、図８（ａ）に示すように、ベース６Ｆの垂直部（水平部に直交する側）に沿って通信装置取付部６ｅ１１，６ｅ１２を設けている。
【００４３】
また、凹部として形成された通信装置取付部６ｅ１１，６ｅ１２の一部にベース表面から計量装置取付部嵌合部に向けてスリット６ｆ３，６ｆ４が形成されている。計量装置取付部１２２ｌ，１２２ｋには、そのスリット６ｆ３，６ｆ４内を通るテーパ状のリブ１２６ｃ，１２６ｄが形成されている。図９（ａ）は、通信装置筐体１２Ｆが計量装置に取り付けられた状態において、上部から治具２１を挿入することを示したもので、図９（ｂ）は、治具２１の先端をスリット６ｆ３，６ｆ４に挿入した状態を示している。
【００４４】
治具２１の挿入方向が異なるだけで、計量装置を分解せずに計量装置から通信装置筐体１２Ｆを取り外す方法は、図７（ｃ）、（ｄ）、（ｅ）と同じである。
【００４５】
従って、実施例３の変形例においても、実施例３の効果と同様な効果が得られる。
【実施例４】
【００４６】
図１０（ａ）は、本発明の実施例４の電力量計の計量装置、図１０（ｂ）は、通信装置を計量装置に取り付けた斜視図である。図１０（ｃ）は、通信装置の斜視図、図１０（ｄ）は、計量装置の基板１Ａの斜視図である。ベース６Ｇに形成された通信装置取付部６ｅ３，６ｅ４は、図３に示す通信装置取付部６ｅ３，６ｅ４と同じである。また、ベース６Ｇには、第２コネクタ通し穴６ｇが形成されている。
【００４７】
通信装置の基板９には、図１０（ｃ）に示すように、ベース６Ｇに形成された第２コネクタ通し穴６ｇを通る計量装置接続用コネクタ９ｃが取り付けられている。計量装置の基板１Ａには、図１０（ｄ）に示すように、通信装置の基板９に取り付けられた計量装置接続用コネクタ９ｃに接続される通信装置接続用コネクタ１ｃが取り付けられている。
【００４８】
このように実施例４の電力量計によれば、計量装置接続用コネクタ９ｃを第２コネクタ通し穴６ｇを挿通して通信装置接続用コネクタ１ｃに接続する。即ち、コネクタ接続することでケーブルを削減でき、通信装置の取り付け作業を簡単にすることができ、組立作業費を削減できる。
【００４９】
図１１（ａ）は、本発明の実施例４の電力量計の第１変形例の計量装置の斜視図である。図１１（ｂ）は、通信装置の斜視図である。ベース６Ｈに形成された通信装置取付部６ｅ７，６ｅ８は、図５に示す通信装置取付部６ｅ７，６ｅ８と同じである。また、ベース６Ｈには、第２コネクタ通し穴６ｇが形成されている。
【００５０】
通信装置筐体１２Ｈの基板９には、図１１（ｂ）に示すように、ベース６Ｈに形成された第２コネクタ通し穴６ｇを通る計量装置接続用コネクタ９ｃが取り付けられている。計量装置の基板１Ａには、通信装置接続用コネクタ１ｃが取り付けられている。
【００５１】
このように実施例４の第１変形例の電力量計によっても、実施例４の効果と同様な効果が得られる。
【００５２】
図１２（ａ）は、本発明の実施例４の電力量計の第２変形例の計量装置の斜視図である。図１２（ｂ）は、通信装置の斜視図である。ベース６Ｉに形成された通信装置取付部６ｅ１１，６ｅ１２は、図８に示す通信装置取付部６ｅ１１，６ｅ１２と同じである。また、ベース６Ｉには、第２コネクタ通し穴６ｇが形成されている。
【００５３】
通信装置筐体１２Ｉの基板９には、図１２（ｂ）に示すように、ベース６Ｉに形成された第２コネクタ通し穴６ｇを通る計量装置接続用コネクタ９ｃが取り付けられている。計量装置の基板１Ａには、通信装置接続用コネクタ１ｃが取り付けられている。
【００５４】
このように実施例４の第２変形例の電力量計によっても、実施例４の効果と同様な効果が得られる。
【実施例５】
【００５５】
図１３（ａ）は、本発明の実施例５の電力量計の計量装置の斜視図である。図１３（ｂ）は、本発明の実施例５の電力量計の通信装置を計量装置に取り付けた斜視図である。図１３（ｃ）は、計量装置の基板の斜視図である。図１３（ｄ）は、基板９を備えた通信装置筐体１２Ｊの斜視図である。図１３（ａ）に示すように、ベース６Ｊには通信装置取付部６ｅ３，６ｅ４が形成されるとともに、接続端子通し穴６ｈが形成されている。
【００５６】
計量装置の基板１Ｂの端部には、図１３（ｃ）に示すように、導電性を有する４つの端子部１ｄが等間隔に設けられている。
【００５７】
通信装置筐体１２Ｊ内に設けられた基板９の端部には、図１３（ｄ）に示すように、導電性を有する４つの端子部９ｄが等間隔に設けられている。４つの端子部９ｄには、リン青銅等の金属部材からなり且つバネ性を有する４つの接続端子２２が取り付けられている。４つの接続端子２２は、図１４（ｂ）に示すように、Ｌ字形状をなしており、互いに直交する位置に配置された切欠きからなる基板挟み込み部２２ａ，２２ｂが形成されている。
【００５８】
基板挟み込み部２２ａは、図１４（ａ）に示すように、通信装置筐体１２Ｊの基板９の端子部９ｄを挟み込む。基板挟み込み部２２ｂは、図１４（ａ）に示すように、計量装置の基板１Ｂの端子部１ｄを挟み込む。
【００５９】
また、通信装置筐体１２Ｊには、図１３（ｄ）に示すように、等間隔に配置された４つの接続端子２２に接触して等間隔に４つの突起部１２７が形成されている。突起部１２７は、対応する接続端子２２を固定させることにより、隣接する接続端子２２が互いに接触しないようにしている。
【００６０】
このように構成された実施例５の電力量計によれば、接続端子２２を用いて通信装置の基板９と計量装置の基板１Ｂとを電気的に接続することができる。また、ケーブルを削減して、金属部材からなる接続端子２２を用いるので、通信装置の取り付け作業が簡単になり、組立作業費を低減することができる。
【符号の説明】
【００６１】
１，９  基板
１ａ  表示部
１ｂ，１ｃ  通信装置接続用コネクタ
１ｄ  端子部
２  電流線取付ねじ
３  導体部
４  センサ部
５  ケース
６，６Ａ〜６Ｊ  ベース
６ａ  コネクタ通し穴
６ｂ，６ｄ１，６ｄ２，６ｅ１〜６ｅ１２  通信装置取付部
６ｃ  電流線通し穴
６ｆ１，６ｆ２  スリット
６ｇ  第２コネクタ通し穴
６ｈ  接続端子通し穴
７  カバー
８  カバー取付ねじ
９ａ  ＬＥＤ
９ｂ  ケーブル接続用コネクタ
９ｃ  計量装置接続用コネクタ
９ｄ  端子部
１０  ケーブル
１０ａ  計量装置接続用コネクタ
１０ｂ  基板接続用コネクタ
１１  ＬＥＤ導光部
１２Ａ〜１２Ｇ  通信装置筐体
１２Ａ１  上面部
１２Ａ２，１２Ａ３  側面部
１２ａ  ＬＥＤ導光用穴
１３  下ケース（従来の通信装置筐体）
１３ａ，１２１，１２１ｂ，１２２ａ〜１２２ｌ  計量装置取付部
２１  治具
２２  接続端子
２２ａ  基板挟み込み部
１２３  回路部取付部
１２５  空間部
１２６ａ〜１２６ｄ  リブ
１２７  突起部
【図１】
2019015624.tif 000003
【図２】
2019015624.tif 000004
【図３】
2019015624.tif 000005
【図４】
2019015624.tif 000006
【図５】
2019015624.tif 000007
【図６】
2019015624.tif 000008
【図７】
2019015624.tif 000009
【図８】
2019015624.tif 000010
【図９】
2019015624.tif 000011
【図１０】
2019015624.tif 000012
【図１１】
2019015624.tif 000013
【図１２】
2019015624.tif 000014
【図１３】
2019015624.tif 000015
【図１４】
2019015624.tif 000016
【図１５】
2019015624.tif 000017
【図１６】
2019015624.tif 000018
【図１７】
2019015624.tif 000019